(57)【要約】【課題】液体の不必要な吐出を抑制すると共に、衛生的に用いることのできる液体塗布具を提供する。【解決手段】液体が収容された液体容器２と、前記液体容器の先端部に一体に設けられ、前記液体を吐出する開口部３ｂが形成された塗布体３ａと、前記液体容器を保持する塗布部本体５とを備える液体塗布具１であって、前記塗布部本体は、その前端に形成され、前記液体容器の後端側を挿入可能な前端開口１０Ａａと、該塗布部本体の内部に設けられ、前記液体容器の後端側と係合可能な係合手段１４ｂとを有し、前記前端開口に前記液体容器の後端側を挿入することにより該容器の後端側と前記係合手段とが係合し、前記液体容器が前記塗布部本体に装着され、前記係合手段の係合を解除することにより、前記塗布部本体から前記液体容器が取り外される。【選択図】図２
2015217104.tif 000002
【特許請求の範囲】
【請求項１】
液体が収容された液体容器と、前記液体容器の先端部に一体に設けられ、前記液体を吐出する開口部が形成された塗布体と、前記液体容器を保持する塗布部本体とを備える液体塗布具であって、
前記塗布部本体は、その前端に形成され、前記液体容器の後端側を挿入可能な前端開口と、該塗布部本体の内部に設けられ、前記液体容器の後端側と係合可能な係合手段とを有し、
前記前端開口に前記液体容器の後端側を挿入することにより該液体容器の後端側と前記係合手段とが係合し、前記液体容器が前記塗布部本体に装着され、
前記係合手段の係合を解除することにより、前記塗布部本体から前記液体容器が取り外されることを特徴とする液体塗布具。
【請求項２】
前記塗布部本体は、
前記液体容器を軸方向に移動可能に保持すると共に、
該塗布部本体の内部に形成され、前記液体容器の内部と外気とを連通する連通路と、前記液体容器の移動により前記連通路を開閉可能な第１のシール手段とを有し、
前記塗布部本体内において前記液体容器を後方に移動させることにより、前記第１のシール手段が前記連通路を開いて前記液体容器の内部が外気と連通し、前記塗布体に前記液体が導出されることを特徴とする請求項１に記載された液体塗布具。
【請求項３】
前記塗布部本体は、
前記液体容器の移動により前記連通路を開閉可能な第２のシール手段を有し、
前記塗布部本体内において前記液体容器を最も後方に移動させることにより、前記第２のシール手段が前記連通路を閉じて前記液体容器の内部が外気と遮断され、前記塗布体への前記液体の導出が停止されることを特徴とする請求項２に記載された液体塗布具。
【請求項４】
前記液体容器の後端側には、後端開口が形成されるとともに、前記後端開口に連通する第１弁座と、該第１弁座に保持される第１弁体とが設けられ、
前記塗布部本体は、その内部に設けられ、筒状に形成されて前記連通路の一部を構成すると共に、先端が前記液体容器の後端開口に嵌入されるコマ部材を備え、
前記液体容器を前記塗布部本体に装着する際、前記コマ部材の先端が前記液体容器の後端開口に嵌入されることにより、該コマ部材の先端が前記第１弁体を前記第１弁座から押し外し、前記液体容器内が前記連通路に連通することを特徴とする請求項２または請求項３に記載された液体塗布具。
【請求項５】
前記塗布部本体は、前記コマ部材の内部に転動自在に収容された第２弁体と、前記液体容器に設けられた塗布体を上方に向けることにより前記第２弁体が着座し前記連通路を閉弁する第２弁座とを備え、
前記塗布体を下方に向けることにより前記第２弁体が前記第２弁座から離れて前記連通路を開弁することを特徴とする請求項４に記載された液体塗布具。
【請求項６】
前記液体は育毛・発毛剤であることを特徴とする請求項１乃至請求項５のいずれかに記載された液体塗布具。
【請求項７】
前記請求項１乃至請求項６のいずれかに記載された液体塗布具に用いることを特徴とする液体容器。
【発明の詳細な説明】
【技術分野】
【０００１】
本発明は、液体塗布具及びそれに用いる液体容器に関する。
【背景技術】
【０００２】
従来から、頭皮に塗布する育毛・発毛剤等を収容した液体容器について、種々の提案がなされている。
例えば、特許文献１において提案されている容器は、育毛剤を収納したペン状容器であって、ペン状容器本体の先端部に前記育毛剤が浸透するペン先体を設け、このペン先体で頭皮を押圧することにより、ペン先体を没動させ、育毛剤がペン先体に滲み出るように構成されている。
【０００３】
また、特許文献２には、育毛剤・発毛剤等の薬液の容器としても適用可能な液体容器（粘性流体押し出し容器）が開示されている。この液体容器は、先端部に薬液（粘性流体）の押し出し口を設けるとともに両側部に空き窓を設けた柔軟性のない筒状体内に、薬液を収容した柔軟性を有する補充筒が着脱自在に挿入されている。
前記液体容器によれば、収容する薬液が空になった場合には、前記補充筒のみを交換することにより、容易且つ安価に薬液の補充を行うことができる。
【先行技術文献】
【特許文献】
【０００４】
【特許文献１】特開平９−１５４９５４公報
【特許文献２】特開平７−１２５７５９公報
【発明の概要】
【発明が解決しようとする課題】
【０００５】
ところで、特許文献１に開示されたペン先体、塗布ヘッドは、一般的には、スポンジ、フェルト等の材質によって形成されている。そのため、頭皮に対して、前記ペン先体、塗布ヘッドを必要以上に押圧し続けると、育毛・発毛剤が不必要に吐出され続け、液だれが生じるという課題があった。
また、特許文献２に開示された流体押し出し容器にあっては、薬液が無くなれば筒状体に収容された補充筒のみを交換して補充することができるが、塗布部となる押し出し口は前記筒状体に形成され、交換されない。しかしながら、前記押し出し口は、使用の度に皮膚等の人体に直接触れるため、長期にわたっての使用において感染等が生じる虞があった。
【０００６】
本発明は、前記した点に着目してなされたものであり、液体の不必要な吐出を抑制すると共に、衛生的に用いることのできる液体塗布具、及びそれに用いる液体容器を提供することを目的とする。
【課題を解決するための手段】
【０００７】
前記した課題を解決するために、本発明に係る液体塗布具は、液体が収容された液体容器と、前記液体容器の先端部に一体に設けられ、前記液体を吐出する開口部が形成された塗布体と、前記液体を保持する塗布部本体とを備える液体塗布具であって、前記塗布部本体は、その前端に形成され、前記液体容器の後端側を挿入可能な前端開口と、該塗布部本体の内部に設けられ、前記液体容器の後端側と係合可能な係合手段とを有し、前記前端開口に前記液体容器の後端側を挿入することにより該容器の後端側と前記係合手段とが係合し、前記液体容器が前記塗布部本体に装着され、前記係合手段の係合を解除することにより、前記塗布部本体から前記液体容器が取り外されることに特徴を有する。
【０００８】
尚、前記塗布部本体は、前記液体容器を軸方向に移動可能に保持すると共に、該塗布部本体の内部に形成され、前記液体容器の内部と外気とを連通する連通路と、前記液体容器の移動により前記連通路を開閉可能な第１のシール手段とを有し、前記塗布部本体内において前記液体容器を後方に移動させることにより、前記第１のシール手段が前記連通路を開いて前記液体容器の内部が外気と連通し、前記塗布体に前記液体が導出されることが望ましい。
また、前記塗布部本体は、前記液体容器の移動により前記連通路を開閉可能な第２のシール手段を有し、前記塗布部本体内において前記液体容器を最も後方に移動させることにより、前記第２のシール手段が前記連通路を閉じて前記液体容器の内部が外気と遮断され、前記塗布体への前記液体の導出が停止されることが望ましい。
また、前記液体容器の後端側には、後端開口が形成されるとともに、前記後端開口に連通する第１弁座と、該第１弁座に保持される第１弁体とが設けられ、前記塗布部本体は、その内部に設けられ、筒状に形成されて前記連通路の一部を構成すると共に、先端が前記液体容器の後端開口に嵌入されるコマ部材を備え、前記液体容器を前記塗布部本体に装着する際、前記コマ部材の先端が前記液体容器の後端開口に嵌入されることにより、該コマ部材の先端が前記第１弁体を前記第１弁座から押し外し、前記液体容器内が前記連通路に連通することが望ましい。
また、前記塗布部本体は、前記コマ部材の内部に転動自在に収容された第２弁体と、前記液体容器に設けられた塗布体を上方に向けることにより前記第２弁体が着座し前記連通路を閉弁する第２弁座とを備え、前記塗布体を下方に向けることにより前記第２弁体が前記第２弁座から離れて前記連通路を開弁することが望ましい。
【０００９】
このような構成によれば、液体容器に塗布体が一体に設けられているため、液体容器の交換の度に塗布体も新しくなり、衛生的に用いることができる。
また、使用時には、液体容器に設けられた塗布体を頭皮等に押し当て、塗布部本体に対し液体容器を押し込む（後方に移動させる）ことにより連通路に外気が流入して前記塗布体から液体が吐出される。また、前記塗布体に対し液体容器を最大限に押し込むことにより、連通路が外気と遮断され、１回のノックのストロークに対する液体の吐出量が制限される。即ち、液体の不必要な吐出を抑制することができる。
尚、前記液体は育毛・発毛剤であることが望ましい。
【発明の効果】
【００１０】
本発明によれば、液体の不必要な吐出を抑制すると共に、医薬、食品等で衛生的に用いることのできる液体塗布具、及びそれに用いる液体容器を得ることができる。尚、塗布部を下向きに塗布する育毛・発毛剤を収容した容器としての使用が特に望ましい。
【図面の簡単な説明】
【００１１】
【図１】図１は、本発明に係る液体塗布具の斜視図である。
【図２】図２は、図１の液体塗布具の断面図である。
【図３】図３（ａ）〜（ｃ）はそれぞれ、図１の液体塗布具が備えるコマ部材の斜視図、断面図、背面図である。
【図４】図４は、図１の液体塗布具のノック中の断面図である。
【図５】図５は、図１の液体塗布具を最大限にノックした状態（フルノック時）の断面図である。
【図６】図６（ａ）、（ｂ）はそれぞれ、図１の液体塗布具のカートリッジ（発毛・育毛剤容器）を取り外し可能な状態の断面図、図１の液体塗布具の新たなカートリッジ（発毛・育毛剤容器）を装着前の状態の断面図である。
【発明を実施するための形態】
【００１２】
以下、本発明に係る液体塗布具、及びそれに用いる液体容器の実施形態を図面に基づいて説明する。図１は、本発明に係る液体塗布具が適用される育毛・発毛剤塗布具１の斜視図であり、図２は断面図である。
この実施形態に係る育毛・発毛剤塗布具１は、図１、図２に示すように育毛・発毛剤容器としてのカートリッジ２と、カートリッジ２を装着可能（保持可能）な塗布部本体５とを備える。
前記カートリッジ２は、未使用時において内部に育毛・発毛剤（以下、薬液とも呼ぶ）が充填された円筒状の容器本体３と、その後端開口に嵌着された継手部材４とを有している。前記容器本体３は、硬質の材料、例えばポリカーボネイトなどの硬質プラスチックにより形成され、その先端には、半球状（ドーム状）に略閉じられた状態の塗布部３ａ（塗布体）が設けられている。前記塗布部３ａの中央には吐出孔３ｂ（開口部）が穿孔され、容器内部が前記継手部材４側から外気と連通することにより薬液を前記吐出孔３ｂから吐出可能となされている。尚、以下の説明では、塗布部本体５内において外気とカートリッジ容器３内とを連通する経路を連通路と呼ぶ。
【００１３】
また、育毛・発毛剤塗布具１を使用しないときには、前記塗布部３ａにキャップ６を被せることにより、薬液の乾燥による吐出孔３ｂの詰まりや不必要な薬液の吐出が防止されるようになっている。
具体的には、容器本体３の先端側の周面に溝が形成されてキャップ嵌合部３ｃが設けられている。一方、前記キャップ６の裏面側には、前記吐出孔３ｂに挿入可能な栓突起６ａが形成され、裏面縁部側には周方向にリブ状突起６ｂが形成されている。
図２に示すようにキャップ６を塗布部３ａに被せる際には、前記栓突起６ａを吐出孔３ｂに挿入し、前記リブ状突起６ｂをキャップ嵌合部３ｃに嵌めることによりキャップ６が固定されるようになっている。
【００１４】
また、カートリッジ２において、継手部材４は、容器本体３の後端開口に嵌入される円筒状の嵌入部４ａと、嵌入部４ａの嵌入深さを決める鍔部４ｂと、鍔部４ｂから後方に延設された略円筒状のシール部４ｃとからなる。前記シール部４ｃの後端には後述するコマ部材１１の先端が嵌入される後端開口が形成されている。また、シール部４ｃの内部には、金属球からなる弁体としてのシールボール７（第１弁体）が収容され、パイプ内周面にはシールボール７を保持するための弁座としての保持突起４ｄ（第１弁座）が形成されている。この保持突起４ｄによってシールボール７が保持されている状態において閉弁し、内部の薬液（育毛・発育剤）が密閉される。
また、シール部４ｃの後端外周面側には、径外方向に突起すると共に後方に向かって縮径するテーパ状突起４ｅが形成されている。このテーパ状突起４ｅは、カートリッジ２が、塗布部本体５側に装着される際の係合手段となる。
【００１５】
一方、塗布部本体５は、前後に開口する円筒状の外筒１０を備え、この外筒１０は、前筒１０Ａと後筒１０Ｂとが連結されて構成される。より詳しくは、前筒１０Ａの後部外周面に後筒１０Ｂの前部内周面が嵌合することにより連結され、円筒状の外筒１０を構成している。また、外筒１０の後端側（後筒１０Ｂの後端側）には尾栓部材１８が嵌着され、前端側（前筒１０Ａの前端側）にはカートリッジ２が挿入される前端開口１０Ａａが形成されている。
前記外筒１０内には、カートリッジ２と連結するための筒状のコマ部材１１と、コマ部材１１の後側に連結された筒状のスプリング保持部材１３とが軸方向に移動自在に収容されている。
また、後筒１０Ｂ内には、円筒状の受け座部材１６が固定されて設けられ、前記受け座部材１６の前部は後部よりも縮径している。前記スプリング保持部材１３は、前記受け座部材１６内を軸方向に移動可能とされるが、この受け座部材１６の前部が縮径していることによって前側への移動が制限されている。
【００１６】
また、前記受け座部材１６の内周面と前記スプリング保持部材１３の外周面との間には所定の隙間が形成されており、この隙間から外気がスプリング保持部材１３の後端開口を介してスプリング保持部材１３とコマ部材１１の中を通り（即ち連通路を通り）、カートリッジ２内に流れ込む構成となっている。
ここで、前記スプリング保持部材１３の周面にはＯリング１７が設けられており、スプリング保持部材１３が前方（受け座部材１６側）に最も移動することで、Ｏリング１７が受け座部材１６側に当接し、前記隙間がシール（遮断）されるようになっている。尚、スプリング保持部材１３とＯリング１７と受け座部材１６とにより第１のシール手段が構成される。
【００１７】
また、前記スプリング保持部材１３には、その後端開口からコイルスプリング１２の前部側が収容され、その前端部が支持されている。一方、後筒１０Ｂの後端開口に嵌入された尾栓部材１８によって、前記コイルスプリング１２の後部側が支持されている。
即ち、前記スプリング保持部材１３と前記尾栓部材１８との間にはコイルスプリング１２が軸方向に圧縮伸張可能に設けられている。尚、前記尾栓部材１８は筒内において中央から細軸状に延設されており、その周囲を螺旋状に取り巻くように前記コイルスプリング１２が配置されている。
また、前記尾栓部材１８側にはＯリング１９が設けられ、スプリング保持部材１３が最も後方（尾栓部材１８側）に移動することにより、その後端が前記Ｏリング１９に当接し、尾栓部材１８とＯリング１９とによってスプリング保持部材１３の後端開口がシール（遮断）されるようになっている。尚、前記尾栓部材１８と前記Ｏリング１９と前記スプリング保持部材１３とにより第２のシール手段が構成される。
【００１８】
このような構成により、育毛・発毛剤塗布具１を使用しない状態にあっては、コイルスプリング１２の付勢力により、スプリング保持部材１３は受け座部材１６側に移動され、Ｏリング１７が受け座部材１６に当接して、スプリング保持部材１３と受け座部材１６との間の隙間をシールし外気を遮断するようになっている（図２の状態）。
一方、使用時に塗布部本体５に対しカートリッジ２を押し込む（この動作をノックと呼ぶ）と、コイルスプリング１２が圧縮されながら、スプリング保持部材１３が後方に移動し、前記受け座部材１６からＯリング１７が離れる。これにより、スプリング保持部材１３と受け座部材１６との間の隙間が開き、連通路に外気が流入するようになっている（図４の状態）。
さらにコイルスプリング１２を圧縮させながら、塗布部本体５に対しカートリッジ２を押し込むと、スプリング保持部材１３の後端が前記Ｏリング１９に当接し、スプリング保持部材１３の後端開口がシールされ外気が遮断されるようになっている（図５の状態）。
【００１９】
また、図３（ａ）は、コマ部材１１の斜視図であり、図３（ｂ）は、コマ部材１１の断面図であり、図３（ｃ）は、コマ部材１１の背面図である。
図３（ａ）〜図３（ｃ）に示すように、コマ部材１１は筒状に形成され、内部に連通路１１ａが設けられるが、先端に向かって段階的に縮径した形状となっている。このコマ部材１１の先端には筒状の針部１１ｅが形成され、この針部１１ｅが前記カートリッジ２の継手部材４に挿入されると、保持突起４ｄによって保持されていたシールボール７を押し外し、カートリッジ２内と塗布部本体５側の連通路とが連通するようになっている。
【００２０】
また、前記コマ部材１１の外周面には、翼状に形成された一対の回動軸形成部１１ｂが設けられている。前記一対の回動軸形成部１１ｂの表裏面には、突起状に回転軸部１１ｃが設けられ、この回転軸部１１ｃには操作部材１４が回動自在に取り付けられている。前記操作部材１４は、使用者が指で押し込むための押圧部１４ａと、先端に設けられた鈎部１４ｂ（係合手段）とを有する。尚、この鈎部１４ｂとカートリッジ２における継手部材４のテーパ状突起４ｅとが係合することで、塗布部本体５とカートリッジ２とが連結状態になされる。
【００２１】
また、前記後筒１０Ｂの周面には開口１０Ｂａが形成されており、前記操作部材１４の押圧部１４ａは前記開口１０Ｂａを通して後筒１０Ｂの外に露出している。また、前記開口１０Ｂａを介して、外気が前記スプリング保持部材１３と受け座部材１６との間の隙間に連通している。
【００２２】
また、前記コマ部材１１において、連通路１１ａ内には、金属球からなる弁体としての逆流防止ボール１５（第２弁体）が転動自在に収容されている。
連通路１１ａの前部側には突起状にボール受け部１１ｄが形成され、塗布部３ａ側を下方に向けた際、このボール受け部１１ｄに逆流防止ボール１５が係止しても隙間が生じ、図３（ｂ）に示す連通路１１ｆが確保されるようになっている。
一方、前記コマ部材１１の後端側からはスプリング保持部材１３の先端部が嵌入され、その先端部は前記逆流防止ボール１５の弁座（第２弁座）として機能するようになっている。即ち、塗布部３ａ側を上方に向けると、前記逆流防止ボール１５が後方に移動し、前記スプリング保持部材１３の先端部に係止することにより閉弁し、逆流が防止されるようになっている。
【００２３】
このように構成された育毛・発育剤塗布具１において、塗布部本体５に対し、図６（ａ）に示すようにカートリッジ２を装着するには、塗布部本体５の外筒１０の先端開口１０Ａａからカートリッジ２の継手部材４を挿入し押し込む。
これによりコマ部材１１の先端の針部１１ｅが継手部材４の後端開口から嵌入され、保持突起４ｄによって保持されていたシールボール７が押し外される。これによりカートリッジ２内が塗布部本体５側の連通路と連通する。また、継手部材４のテーパ状突起４ｅと操作部材１４の鈎部１４ｂとが互いに係合して連結され、装着状態となる。即ち、カートリッジ２の押し込みのみで、双方の連結とシール解除とが同時に行われる。
【００２４】
前記のようにカートリッジ２が装着された育毛・発毛剤塗布具１を使用するには、先ず塗布部３ａを覆うキャップ６を取り外す。未ノック時においては、図２に示すようにＯリング１７によりスプリング保持部材１３と受け座部材１６との間の隙間がシールされており、外部から連通路内に空気が流入しないため、薬液が吐出孔３ｂから吐出されないようになっている。
使用時において、塗布部本体５を持ってカートリッジ２先端の塗布部３ａを頭皮に押し当てると（ノックすると）、図４に示すように塗布部本体５に対しカートリッジ２が押し込まれ、コイルスプリング１２が圧縮されながらスプリング保持部材１３が後方に移動する。
そして、Ｏリング１７と受け座部材１６との間の隙間が開放され、連通路１１ａに外気が流入し、吐出孔３ｂから薬液が吐出される。
【００２５】
また、図５に示すように塗布部本体５に対しカートリッジ２を最大限に押し込んだフルノックの状態（カートリッジ２を最も後方まで移動させた状態）になると、尾栓部材１８側のＯリング１９にスプリング保持部材１３の後端が当接し、スプリング保持部材１３の後端開口がシールされて連通路が外気と遮断される。
これにより、吐出孔３ｂからの薬液の吐出が停止し、１回のノックのストロークによる吐出量が制限され、不必要な吐出や液だれが防止される。
尚、１回のノックによる吐出量が決まるため、ノック回数やノックの速さによって吐出量を調整することができる。また、摺動時の摩擦やコイルスプリング１２などの抵抗調整により、外気が連通路に流れ込む時間を設計側で制御することもできる。
【００２６】
また、カートリッジ２内の薬液が空になった場合、新たなカートリッジ２と交換することになる。この交換にあたり、先ず空のカートリッジ２を塗布部本体５から取り外す作業を行う。カートリッジ２の取り外しにあっては、図６（ｂ）に示すように一対の操作部材１４の押圧部１４ａを両側から指でつまんで開口１０Ｂａ内で後方にスライド移動させ、押圧部１４ａを押し込む。これにより操作部材１４は、その先端の鈎部１４ｂが浮く方向に回動し、継手部材４のテーパ状突起４ｅとの係合が解除され、カートリッジ２を塗布部本体５から引き抜くことが可能となる。
尚、操作部材１４の押圧部１４ａから指を離すと、圧縮されたスプリング１２が伸長し、操作部材１４は前方へ移動して元の位置に戻る。
【００２７】
以上のように本発明に係る実施の形態によれば、カートリッジ２に塗布部３ａが設けられているため、カートリッジ２の交換の度に塗布部３ａも新しくなり、衛生的に用いることができる。
また、育毛・発毛剤塗布具１の使用時には、カートリッジ２の先端に設けられた塗布部３ａを頭皮等に押し当て、塗布部本体５に対しカートリッジ２を押し込むことにより連通路１１ａに外気が流入し、前記塗布部３ａの吐出孔３ｂから薬液（育毛・発毛剤）が吐出される。また、前記塗布部本体５に対しカートリッジ２を最大限に押し込むことにより、連通路１１ａが外気と遮断され、１回のノックのストロークに対する薬液の吐出量が制限される。即ち、薬液の不必要な吐出を抑制することができる。
また、１回あるいは１日、または１週間分の少量の育毛・発毛剤が収容されている場合には、従来の容器に比べて、育毛・発毛剤容器の容器を小型化することができ、旅行筒の携帯に便利である。
【００２８】
尚、前記実施の形態においては、容器本体３の先端側に１つの吐出孔３ｂを穿孔し、これを開口部としたが、本発明にあっては、その形態に限定されるものではなく、複数の吐出孔３ｂを穿孔し、これらを纏めて開口部とすることもできる。
また、塗布体としては、前記吐出孔３ｂが穿孔された塗布部３ａに限定されるものではなく、例えば、容器本体３の先端側に多孔質焼結体（図示せず）を設け、これを塗布体としてもよい。この場合、多孔質焼結体に形成された複数の気孔が、薬液を吐出するための開口部となる。また、そのように構成すれば、前記複気孔が薬液の導出流路として用いられるため、必要以上に薬液が流出することがなく、液だれをより抑制することができる。
【００２９】
また、前記実施の形態において、カートリッジ２の継手部材４と係合する塗布部本体５側の係合手段として、操作部材１４が有する鈎部１４ｂを例に説明したが、その形態に限定されるものではない。例えばコマ部材１１の外周面に鈎状部（図示せず）を設け、これを係合手段としてカートリッジ２の継手部材４と係合させてもよい。
【産業上の利用可能性】
【００３０】
本発明は、特に、頭皮に育毛・発毛剤を塗布する育毛・発毛剤塗布具、及びそれに用いる育毛・発毛剤を収容した育毛・発毛剤容器に好適に用いることができる。また、医薬品や医薬部外品（傷薬、かゆみ止め、消炎剤、ふきでもの・ニキビ用薬、水虫薬、デリケートゾーン用塗布薬、日焼け止め、制汗剤、消臭剤）、化粧品（化粧水・乳液・美容液などの基礎化粧品、メイク落とし、ポイント毛染め）等を液体容器に収容し、塗布部を下向きにして用いる液体塗布具としても好適に用いることができる。
【符号の説明】
【００３１】
１          育毛・発毛剤塗布具（液体塗布具）
２          カートリッジ（液体容器）
３          容器本体
３ａ        塗布部（塗布体）
４          継手部材
４ｄ        保持突起（弁座）
５          塗布部本体
６          キャップ
７          シールボール（弁体）
１０        外筒
１０Ａ      前筒
１０Ｂ      後筒
１１        コマ部材
１１ａ      連通路
１２        コイルスプリング
１３        スプリング保持部材（第１のシール手段、第２のシール手段）
１４        操作部材
１４ａ      押圧部
１４ｂ      鈎部（係合手段）
１５        逆流防止ボール（第２弁体）
１６        受け座部材（第１のシール手段）
１７        Ｏリング（第１のシール手段）
１８        尾栓部材（第２のシール手段）
１９        Ｏリング（第２のシール手段）
【図１】
2015217104.tif 000003
【図２】
2015217104.tif 000004
【図３】
2015217104.tif 000005
【図４】
2015217104.tif 000006
【図５】
2015217104.tif 000007
【図６】
2015217104.tif 000008